(57)【要約】【課題】本発明は、サイフォン排水システムに貯水機能を付与したものであり、横引き管が長い場合や、一度に大量の排水がなされた場合でも、サイフォンが開始する前に排水が逆流するようなことがなくなったものであり、排水中にエアが巻き込まれて音なりが生じるが、この音なりの時間が短くなるという効果もある。【解決手段】サイフォン式排水システムにあって、水回り器具と横引き管との間にチャンバ−等の貯水手段を敷設し、水回り器具からの一度に大量の排水があった場合、排水を一時的に当該貯水手段内に溜めるようにしたことを特徴とする貯水機能付きサイフォン式排水システム。１‥浴槽、３‥洗い場、５‥トラップ、６‥外筒、６ａ‥外筒の排水入口、６ｂ‥外筒の排水出口、７‥内筒、８‥流入口、９‥横引き管、１０ａ‥チャンバ−。【選択図】図３
2006336319.tif 000002
【特許請求の範囲】
【請求項１】
サイフォン式排水システムにあって、水回り器具と横引き管との間に貯水手段を敷設し、水回り器具からの一度に大量の排水があった場合、排水を一時的に当該貯水手段内に溜めるようにしたことを特徴とする貯水機能付きサイフォン式排水システム。
【請求項２】
横引き管とトラップとの間に貯水手段としてチャンバ−を備えた請求項１記載の貯水機能付きサイフォン排水システム。
【請求項３】
トラップ自体に貯水手段としてチャンバ−を備えた請求項１記載の貯水機能付き排水システム。
【請求項４】
水回り器具とトラップの間に貯水手段としてチャンバ−を備えた請求項１記載の貯水機能付き排水システム。
【発明の詳細な説明】
【技術分野】
【０００１】
本発明はサイフォン排水システムにあって、サイフォン開始までに生じる不具合を解決しようとするものである。
【背景技術】
【０００２】
従来より採用されている排水システムにあっては、横引き排水管に勾配を付け排水に流れを付与しているが、横引き管の長さが長くなるとその分だけ床下の空間を広げる必要があった。しかるに、床下の空間が広げられないという設計上の規制のあるところでは横引き排水管の敷設が難しいという欠点があった。
【０００３】
近年、かかる排水システムの欠点を解決するためにサイフォン力を利用した排水システムが開発された（特許文献１）。これは、横引き排水管に勾配を付ける必要がなく、新しい排水システムとして注目されている。
【０００４】
【特許文献１】特開平２０００−２９７４４７号公報
【０００５】
しかるに、上記のサイフォン排水システムにあっても尚解決しなくてはならない点が指摘されており、その水回り器具の実際の排水とサイフォン開始までの間にタイムラグがある点であり、例えば、浴槽等のように、一度に大量の排水を行う場合にあっては、サイフォンが開始する以前に洗い場側の排水口より逆にあふれ出てしまうという欠点があった。そのため、排水システムの設計限界がサイフォンの開始時間によって決まり、言い換えれば、横引き管の設計に限界があった。
【発明の開示】
【発明が解決しようとする課題】
【０００６】
本発明はサイフォン排水システムにおけるかかる欠点を解決するものであって、サイフォン開始時間がやや遅い場合でも排水口より排水が逆流することがないというシステムを提供するものである。
【課題を解決するための手段】
【０００７】
本発明の要旨は、サイフォン式排水システムにあって、水回り器具と横引き管との間に貯水手段を敷設し、水回り器具からの一度に大量の排水があった場合、排水を一時的に当該貯水手段内に溜めるようにしたことを特徴とする貯水機能付きサイフォン式排水システムにかかるものである。
【０００８】
本発明を具体的に述べれば、その第１はサイフォン排水システムにあって、横引き管とトラップとの間にチャンバ−を備えたサイフォン排水システムである。
【０００９】
その第２はトラップ自体にチャンバ−を備えたサイフォン排水システムである。
【００１０】
その第３は水回り器具とトラップとの間にチャンバ−を備えたサイフォン排水システムである。
【００１１】
その第４は上記各チャンバ−を複数備えたサイフォン排水システムである。
【発明の効果】
【００１２】
本発明は、サイフォン排水システムに貯水機能を付与したものであり、横引き管が長い場合や、一度に大量の排水がなされた場合でも、サイフォンが開始する前に排水が逆流するようなことがなくなったものであり、サイフォン排水システムがより完成度の高いシステムとなったものである。そして、サイフォン力によって排水中にエアが巻き込まれて音なりが生じるが、この音なりの時間が短くなるという効果もある。
【発明を実施するための最良の形態】
【００１３】
本発明はサイフォン排水システムの欠点を解決するものであって、上記したように水回り器具と排水管を繋ぐ間の継手部分、トラップ、排水管等に貯水機能を備えたものであり、サイフォン開始までの間、排水が一時溜るようにしたものである。このため、排水システムの設計限界を従来のようなサイフォンの開始時間に寄ることがなく、必要な排水処理能力によって決めることができるようになったものである。
【００１４】
図１はサイフォン排水システムの概要を示すものであり、符号の３１は立管、３２は横引き管、３３は水回り器具の一例である浴槽、３４は洗い場、３５はトラップである。そして、トラップ３５に接続された横引き管３２は、立て管３１に落差Ｈをもって合流させるものであり、符号３６はその合流部である。前記横引き管３２は一般には合流させることなく、単に床スラブ３７の表面に這わせておくだけのものであり、排水のための勾配を採らない。従って、排水力は落差Ｈ分だけのサイフォンを利用するものであり、サイフォンが働いた際には横引き管３２内に留まる排水はサイフォン力によって強制的に排水されることとなる。
【００１５】
サイフォンの開始の遅れについて言えば、横引き管３２が長い場合に生じ、水回り器具３３の高さが低い場合も遅れる。しかるに、大量の排水があった場合の欠点はこれらが組み合わさった際により生じがちである。このため、本発明においては、水回り器具と横引き管との間に貯水手段を敷設し、水回り器具からの一度に大量の排水があった場合、排水を一時的に当該貯水手段内に溜めるようにし、サイフォンが開始するまで横引き管２２に影響を与えないようにしたものである。
【００１６】
本発明の貯水手段としては特に限定することはないが、配管部や継手部に貯水手段、例えば配管部の太さよりも極太の管体や容器が備えるものである。又、トラップにあっても貯水手段を備えるのがよく、例えば、トラップの外筒を従来の大きさよりも極めて大きくするものである。本発明ではこれらの貯水手段の具体例をチャンバ−と称している。
【００１７】
尚、排水システムの設計にあっては、横引き管の管径の拡大や複数本の配管によって設計限界を更に拡大することも可能である。
【実施例】
【００１８】
以下、浴槽及び洗い場における排水システムをもって更に詳細に説明する。図２は従来から採用されている排水システムの部分図であって、１は浴槽、２はその排水口、３は洗い場、４はその排水口である。５はトラップであり、外筒６内に内筒７が配置され、内筒７の上端は排水口４に接続され、内筒７の下端７ａはトラップ５の底面５ａより浮き上がった状態となっている。トラップ５の外筒６の下部に排水入口６ａが備えられ、これに排水口２との間をつなぐ流入管８が接続されている。そして、外筒６の上部には、排水出口６ｂが備えられ、これに管径の太い（通常は５０Ａ）横引き管９が接続されており、１／５０程度の勾配が付けられている。かかる排水システムにあって、浴槽１から大量の水が流されると、トラップ５を満たした水は一気に流れる途を失い、洗い場３側の排水口４より逆に吹き出す結果となってしまう。
【００１９】
図３は本発明の第１実施例の排水システムの部分図であり、図２の排水システムにおいてトラップ５の排水出口６ｂに連続して大容量の容器（チャンバ−）１０ａが備えられたものである。従って、トラップ５を経由した排水は一気に横引き管９に流入することはせず、一旦このチャンバ−１０ａ内に溜められ、言い換えれば、横引き管９にサイフォンを生じるタイムラグ分だけ排水をチャンバ−１０ａ内に滞留させ、サイフォンが開始された際にはこのチャンバ−１０ａ内に溜められた水も同様に排水されることとなる。
【００２０】
図４は本発明の第２実施例の排水システムの部分図であり、トラップ５の外筒６を大容量としたものであり、これをもってチャンバ−１０ｂとしたものである。従って、トラップ５内に流入した排水は一旦このチャンバ−１０ｂ内に溜められ、サイフォンが開始された際にはこのチャンバ−１０ｂ内に溜められた水も同様に排水されることとなる。
【００２１】
図５は従来の排水システムの部分図であり、排水量が大容量である流し台のトラップの一例である。図中、１１は流し台、１２は排水口である。トラップ１３は外筒１４と底部１４ａを連続した内筒１５が立設されている。そして、この内筒１５を覆い被さるように中間筒１６が配設された構成をなしている。流し台１１からの排水は外筒１４内に流れ込み、中間筒１６の下端１６ａを潜り、次いで内筒１５の上端１５ａを越えて内筒１５内を流下して横引き管１７に流れ込む構造である。
【００２２】
図６は図５における排水システムの改良による本発明の第３実施例の流し台排水システムの部分図であり、トラップ１３の外筒１４を大容量としたもので、これをもってチャンバ−１０ｃとしたものである。従って、トラップ１３内に流入した排水は一旦このチャンバ−１０ｃ内に溜められ、サイフォンが開始された際にはこのチャンバ−１０ｃ内に溜められた水も同様に排水されることとなる。
【００２３】
図７は本発明の第４実施例の洗濯機の排水システムの部分図であり、トラップ２３の外筒２４を大容量としたもので、これをもってチャンバ−１０ｄとしたものである。従って、トラップ２３内に流入した排水は一旦このチャンバ−１０ｄ内に溜められ、サイフォンが開始された際にはこのチャンバ−１０ｄ内に溜められた水も同様に排水されることとなる。図中、２１は図示しない洗濯機からの排水ホ−ス、２２はその排水口である。トラップ２３は横引き管への排水口２４ａを備えた外筒２４と、その内に備えた内筒２５が備えられ、この両者管に有底の中間筒２６が配設された構成をなしている。洗濯機からの排水は内筒２５内に流れ込み、内筒２５の下端２５ａを潜り、中間筒２６の上端穴２６ａを越えて外筒２４内に流れ込み、その後流下して横引き管に流れ込む構造である。
【００２４】
この例では、外筒２４の外径を大径とした（点線は通常の外筒である）ものであり、ここにチャンバ−１０ｄの機能を持たせたものである。尚、図例では排水口２４ａを外筒２４に対して垂直に備えた例であるが、これを横向きにしたものもあることは言うまでもない。
【産業上の利用可能性】
【００２５】
本発明は以上の通りであり、サイフォン排水システムに好んで採用されるが、かかる排水システムのみならず、従前の横引き管に勾配を付ける排水システムにもそのまま適用可能であり、リフォ−ムの際にも従前の排水システムにそのまま採用できるもので、その利用範囲は広い。
【図面の簡単な説明】
【００２６】
【図１】図１はサイフォン排水システムの概要を示す。
【図２】図２は従来の排水システム（浴槽と洗い場）の部分図である。
【図３】図３は本発明のサイフォン排水システムの第１例を示す部分図である。
【図４】図４は本発明のサイフォン排水システムの第２例を示す部分図である。
【図５】図５は従来の排水システム（流し台）の部分図である。
【図６】図６は本発明のサイフォン排水システムの第３例を示す部分図である。
【図７】図７は本発明のサイフォン排水システムの第４例を示す部分図である。
【符号の説明】
【００２７】
１‥浴槽、
２‥浴槽排水口、
３‥洗い場、
４‥洗い場排水口、
５‥トラップ、
５ａ‥トラップ底面、
６‥外筒、
６ａ‥外筒の排水入口、
６ｂ‥外筒の排水出口、
７‥内筒、
７ａ‥内筒の下端、
８‥流入口、
９‥横引き管、
１０ａ、１０ｂ、１０ｃ、１０ｄ‥チャンバ−。
【図１】
2006336319.tif 000003
【図２】
2006336319.tif 000004
【図３】
2006336319.tif 000005
【図４】
2006336319.tif 000006
【図５】
2006336319.tif 000007
【図６】
2006336319.tif 000008
【図７】
2006336319.tif 000009